(57)【要約】  冷凍空調装置における運転制御部は、必要空調能力が設定温度に対応する空調能力よりも低くなるように補正する温度補正量を、予め設定された変動量ずつ小さくなるように設定する補正量設定手段と、補正量設定手段により設定された温度補正量と設定温度とから目標吸込温度を設定する目標吸込温度設定手段と、吸込温度が目標吸込温度になるように、利用側熱交換器に流れる冷媒の目標冷媒温度を設定する目標冷媒温度設定手段と、利用側熱交換器に流れる冷媒が目標冷媒温度になるように圧縮機の容量を制御する圧縮機制御手段とを有する。
2016002052.tif 000002
【特許請求の範囲】
【請求項１】
圧縮機と、熱源側熱交換器と、絞り装置と、利用側熱交換器とが冷媒配管により接続された冷凍サイクルを有する冷凍空調装置であって、
空調空間から前記利用側熱交換器へ吸い込まれる空気の温度を吸込温度として検知する吸込温度検知部と、
前記利用側熱交換器内を流れる冷媒の状態を検知する状態検知部と、
前記空調空間の目標温度である設定温度と、前記吸込温度検知部において検知された吸込温度と、前記状態検知部において検知された冷媒の状態とに基づいて前記圧縮機の動作を制御する運転制御部と
を有し、
前記運転制御部は、
必要空調能力が前記設定温度に対応する空調能力よりも低くなるように補正する温度補正量を、予め設定された変動量ずつ小さくなるように設定する補正量設定手段と、
前記補正量設定手段により設定された前記温度補正量と前記設定温度とから目標吸込温度を設定する目標吸込温度設定手段と、
前記吸込温度が前記目標吸込温度になるように、前記利用側熱交換器に流れる冷媒の目標冷媒温度を設定する目標冷媒温度設定手段と、
前記利用側熱交換器に流れる冷媒が前記目標冷媒温度になるように前記圧縮機の容量を制御する圧縮機制御手段と
を有する冷凍空調装置。
【請求項２】
前記補正量設定手段は、
前記吸込温度のハンチング回数が設定回数以上であるか否かを判定するハンチング計測手段と、
前記ハンチング計測手段においてハンチングの回数が設定回数以上であると判定された場合に前記温度補正量を変動量分だけ小さくする補正量演算手段と
を備えたものである請求項１に記載の冷凍空調装置。
【請求項３】
前記ハンチング計測手段は、前記吸込温度が前記目標吸込温度よりも小さくなった回数及び大きくなった回数の合計をハンチングの回数として計測するものであり、
前記補正量演算手段は、前記ハンチング計測手段においてハンチングの回数が３回以上になったとき、前記温度補正量を変動量分だけ小さくするものである請求項２に記載の冷凍空調装置。
【請求項４】
前記補正量設定手段は、前記温度補正量を変動量分だけ変動させた後からの経過時間を計測する期間計測手段を有し、前記期間計測手段において計測された経過時間が規定期間以上経過したとき、再び前記温度補正量を変動量分だけ小さくするものである請求項１〜３のいずれか１項に記載の冷凍空調装置。
【請求項５】
前記温度補正量は、初期値が１℃であり、変動量は、０．２℃である請求項１〜４のいずれか１項に記載の冷凍空調装置。
【請求項６】
前記補正量設定手段は、前記利用側熱交換器が蒸発器として機能する場合、前記目標吸込温度が前記設定温度よりも高くなるように前記温度補正量を設定するものである請求項１〜５のいずれか１項に記載の冷凍空調装置。
【請求項７】
前記補正量設定手段は、前記利用側熱交換器が凝縮器として機能する場合、前記目標吸込温度が前記設定温度よりも低くなるように前記温度補正量を設定するものである請求項１〜５のいずれか１項に記載の冷凍空調装置。
【発明の詳細な説明】
【技術分野】
【０００１】
本発明は、設定温度に基づいて制御される冷凍空調装置に関するものである。
【背景技術】
【０００２】
従来から、１台の室外機に複数の室内機が接続された冷凍空調装置が知られている。この冷凍空調装置の運転制御を行う際には、室内の空調負荷に追従して圧縮機の容量を制御する差温制御が行われている（例えば特許文献１参照）。特許文献１において、冷房時の差温制御は、利用側ユニットの設定温度と利用側ユニットの吸込温度との差に基づいて、空調負荷に見合った目標蒸発温度が演算され、圧縮機の運転が目標蒸発温度になるように制御される。この際、吸込温度が設定温度を上回った場合は目標蒸発温度を下げる制御が行われ、下回った場合は目標蒸発温度を上げる制御が行われる。【０００３】
さらに、冷房運転時に、吸込温度が設定温度から例えば０．５℃乖離した場合、空調機が過剰に能力を出していると判断し、利用側熱交換器が冷却されずに常温の風が室内に送風される（サーモＯＦＦ）。この場合、利用側熱交換器において室内空気と熱交換する必要がないため、圧縮機の容量が低下するように制御して消費電力が適正な能力に抑えられる。このように、空調負荷の変化に応じて圧縮機の容量を制御することにより冷凍空調装置の省エネルギー運転が行われる。
【先行技術文献】
【特許文献】
【０００４】
【特許文献１】特開２００３−２４７７４２号公報
【発明の概要】
【発明が解決しようとする課題】
【０００５】
特許文献１において、吸込温度が設定温度から乖離していると検知した後に圧縮機の容量が制御される。したがって、圧縮機の容量変化後に室内空気が空気調和され吸込温度に反映されるまでタイムラグが生じ、吸込温度がアンダーシュートする。差温制御は、設定温度が吸込温度の制御目標であるため、吸込温度がアンダーシュートした場合、吸込温度がハンチングしやすく、利用側ユニットがサーモＯＦＦする可能性が高い。利用側ユニットがサーモＯＦＦすると、空調機の能力が低下し吸込温度が大幅に変動しやすいため、吸込温度の安定性が悪化する。このように、吸込温度が不安定になっている場合には、圧縮機がＯＮ／ＯＦＦを繰り返す運転を行ってしまい、吸込温度が設定温度になるまでに時間が掛かってしまう場合がある。【０００６】
本発明は、上記のような課題を解決するためになされたもので、短時間で吸込温度を設定温度にすることができる冷凍空調装置を提供することを目的とするものである。
【課題を解決するための手段】
【０００７】
本発明の冷凍空調装置は、圧縮機と、熱源側熱交換器と、絞り装置と、利用側熱交換器とが冷媒配管により接続された冷凍サイクルを有する冷凍空調装置であって、空調空間から利用側熱交換器へ吸い込まれる空気の温度を吸込温度として検知する吸込温度検知部と、利用側熱交換器内を流れる冷媒の状態を検知する状態検知部と、空調空間の目標温度である設定温度と、吸込温度検知部において検知された吸込温度と、状態検知部において検知された冷媒の状態とに基づいて圧縮機の動作を制御する運転制御部とを有し、運転制御部は、必要空調能力が設定温度に対応する空調能力よりも低くなるように補正する温度補正量を、予め設定された変動量ずつ小さくなるように設定する補正量設定手段と、補正量設定手段により設定された温度補正量と設定温度とから目標吸込温度を設定する目標吸込温度設定手段と、吸込温度が目標吸込温度になるように、利用側熱交換器に流れる冷媒の目標冷媒温度を設定する目標冷媒温度設定手段と、利用側熱交換器に流れる冷媒が目標冷媒温度になるように圧縮機の容量を制御する圧縮機制御手段とを有するものである。
【発明の効果】
【０００８】
本発明によれば、差温制御時において、設定温度に温度補正量を加味した目標吸込温度に基づいて差温制御が行われるとともに、温度補正量が変動量分だけ小さくなるように設定されることにより、吸込温度のハンチングの発生した場合であってもサーモＯＦＦすることが低減されるため、吸込温度を短時間に設定温度にすることができる。
【図面の簡単な説明】
【０００９】
【図１】本発明の実施の形態に係る冷凍空調装置の一例を示す冷媒回路図である。
【図２】図１の冷凍空調装置における制御部の一例を示すブロック図である。
【図３】図１の冷凍空調装置の冷房運転時における動作例を示すフローチャートである。
【図４】図３の目標吸込温度の設定方法の一例を示すフローチャートである。
【図５】図１の冷凍空調装置における冷房運転時の吸込温度の推移の一例を示すグラフである。
【図６】従来の冷房運転時の吸込温度の推移を示すグラフである。
【図７】本発明の実施の形態に係る冷凍空調装置における暖房運転時の吸込温度の推移を示すグラフである。
【発明を実施するための形態】
【００１０】
以下、本発明の冷凍空調装置の実施の形態について、図面を用いて詳細に説明する。図１は、本発明の実施の形態に係る冷凍空調装置の一例を示す冷媒回路図である。図１に示すように、冷凍空調装置１は、熱源機１０及び２台の利用側ユニット２０Ａ、２０Ｂを備え、熱源機１０と利用側ユニット２０Ａ、２０Ｂとが液管２及びガス管３により接続されている。なお、図１の冷凍空調装置１において、熱源機１０に２台の利用側ユニット２０Ａ、２０Ｂが接続された場合について例示しているが、１台だけ接続されていてもよいし複数台接続されていてもよい。
【００１１】
熱源機１０側には、圧縮機１１、流路切替器１２、熱源側熱交換器１３、アキュムレータ１４が収容されており、利用側ユニット２０Ａ、２０Ｂには、それぞれ絞り装置２１、利用側熱交換器２２が収容されている。そして、圧縮機１１、流路切替器１２、熱源側熱交換器１３、絞り装置２１、利用側熱交換器２２が液管２及びガス管３により接続した冷媒回路を有している。圧縮機１１は、吸入した冷媒を圧縮して吐出するものであり、例えばスクロール型圧縮機、ベーン型圧縮機等からなっている。特に、圧縮機１１は、例えばインバータ制御されており、回転数が制御されることにより容量が制御されるようになっている。
【００１２】
流路切替器１２は、冷房運転もしくは暖房運転の運転モードの切替に応じて暖房流路と冷房流路との切替を行うものであって、例えば四方弁からなっている。流路切替器１２は、冷房運転時において、圧縮機１１の吐出側と熱源側熱交換器１３とを接続させるとともに、利用側熱交換器２２とアキュムレータ１４とを接続させる。一方、流路切替器１２は、暖房運転時において、圧縮機１１の吐出側と利用側熱交換器２２とを接続させるとともに、熱源側熱交換器１３とアキュムレータ１４とを接続させる。なお、熱源側熱交換器１３は、冷房運転時には凝縮器（放熱器）として機能し、暖房運転時には蒸発器（吸熱器）として機能する。また、冷凍空調装置１は冷房運転もしくは暖房運転が可能であればよく、流路切替器１２は必ずしも必須の構成ではなく、省略可能である。
【００１３】
熱源側熱交換器１３は、例えばフィンチューブ式の熱交換器からなっており、圧縮機１１において圧縮された冷媒と例えば屋外の空気（外気）との熱交換を行い、冷媒を凝縮して液化させるものである。また、熱源側熱交換器１３へ外気を送り込む図示しない熱源側ファンが設置されていてもよい。アキュムレータ１４は、圧縮機１１の吸入側に設けられ、余剰冷媒を貯留する機能及び液冷媒とガス冷媒とを分離する機能を有している。そして、圧縮機１１はアキュムレータ１４に貯留された冷媒のうちガス冷媒を吸引し圧縮するようになっている。
【００１４】
絞り装置２１は、例えば電子膨張弁からなり、開度を変化させて通過する冷媒の流量等を調整して冷媒の圧力を調整し、利用側熱交換器２２側へ冷媒を流出するものである。利用側熱交換器２２は、例えばフィンチューブ式の熱交換器からなっており、絞り装置２１によって低圧状態になった冷媒と空気との熱交換を行うものである。また、利用側熱交換器２２に空調空間（室内空間）の送風を行う図示しない利用側ファンが設置されており、利用側ファンから送風が行われる。
【００１５】
上述した冷凍空調装置１の動作は、室外制御装置１５及び室内制御装置２５により制御されている。すなわち、熱源機１０側には、熱源機１０内の各機器の動作を制御する室外制御装置１５が設けられており、利用側ユニット２０Ａ、２０Ｂ側には、それぞれ利用側ユニット２０Ａ、２０Ｂ内の各機器の動作を制御する室内制御装置２５が設けられている。室外制御装置１５と室内制御装置２５とは、情報伝送可能に接続されており、室外制御装置１５と室内制御装置２５とは協働して冷凍空調装置１全体の運転制御を行なうようになっている。
【００１６】
室外制御装置１５及び室内制御装置２５は、各種センサからの出力に基づいて各機器の制御を行う。具体的には、利用側熱交換器２２の出口側であってアキュムレータ１４に戻る手前には、冷媒の低圧圧力を冷媒の状態として検知する状態検知部３１が設けられている。状態検知部３１は、例えば圧力センサからなっており、冷媒の圧力を冷媒の状態として検知する。さらに、利用側ユニット２０Ａ、２０Ｂの室内空気の吸入口側には、利用側熱交換器２２に吸入される空気の温度を吸込温度として検知する吸込温度検知部３２が設けられている。そして、室外制御装置１５は、状態検知部３１により検知された冷媒圧力から冷房運転時における利用側熱交換器２２の蒸発温度を算出する。なお、状態検知部３１が圧力センサからなる場合について例示しているが、蒸発温度を検知するものであればこの構成に限定されず、公知の技術を適用することができる。
【００１７】
ここで、冷凍空調装置１は、例えば熱源機１０側の室外制御装置１５内に差温制御により運転を制御する運転制御部５０を有している。なお、図１において、運転制御部５０は熱源機１０側に設けられている場合について例示しているが、利用側ユニット２０Ａ、２０Ｂに設けられていてもよいし、熱源機１０及び利用側ユニット２０Ａ、２０Ｂを一括して管理する図示しない集中コントローラに設けられていてもよい。室内制御装置２５には空調空間の設定温度が記憶されており、運転制御部５０は空調空間の温度（吸込温度）が設定温度になるように各機器の動作を制御する。
【００１８】
この際、運転制御部５０は、利用側熱交換器２２への吸込温度が設定温度になるように圧縮機１１の容量を制御する差温制御が行われる。また、運転制御部５０は、吸込温度が設定温度よりも小さくなった場合、空調能力が過剰であると判断して圧縮機１１の容量が小さくなるように制御する。また、吸込温度が設定温度よりも所定温度（例えば０．５℃）以上下回った場合、サーモＯＦＦの状態になるように制御する。ここで、冷凍空調装置１において、吸込温度のハンチングが発生し、ハンチングに起因するサーモＯＦＦが繰り返し行われる場合がある。そこで、冷凍空調装置１において、吸込温度のハンチングによるサーモＯＦＦの発生を抑制するように運転が制御される。
【００１９】
図２は、図１の冷凍空調装置における運転制御部の一例を示すブロック図である。図２の運転制御部５０は、差温制御により冷凍空調装置１の動作を制御するものであって、目標吸込温度設定手段５１、目標冷媒温度設定手段５２、圧縮機制御手段５３、補正量設定手段５４を備えている。目標吸込温度設定手段５１は、空調空間の設定温度Ｔｉｃｍに基づいて目標吸込温度Ｔｉｃｏを設定するものである。目標冷媒温度設定手段５２は、吸込温度Ｔｉｃが目標吸込温度Ｔｉｃｏになるように、利用側熱交換器２２に流れる冷媒の目標冷媒温度Ｔｅｍを設定するものである。なお、冷房運転時において、目標冷媒温度Ｔｅｍは目標蒸発温度を意味する。圧縮機制御手段５３は、冷媒温度Ｔｅが目標冷媒温度Ｔｅｍになるように、圧縮機１１の容量を制御するものである。
【００２０】
ここで、目標吸込温度設定手段５１は、設定温度Ｔｉｃｍ自体を目標吸込温度Ｔｉｃｏに設定するのではなく、時間とともに徐々に設定温度Ｔｉｃｍに近づくような目標吸込温度Ｔｉｃｏを設定する。具体的には、運転制御部５０は、予め設定された変動量αずつ小さくなる温度補正量Ｘを設定する補正量設定手段５４を有しており、目標吸込温度設定手段５１は、設定温度Ｔｉｃｍに温度補正量Ｘを加味した目標吸込温度Ｔｉｃｏを設定する。
【００２１】
補正量設定手段５４は、補正量演算手段５４ａ、ハンチング計測手段５４ｂ、期間計測手段５４ｃを有している。補正量演算手段５４ａは、温度補正量Ｘを演算するものであって、この温度補正量Ｘは、例えば０．２≦Ｘ≦１の範囲で変動するパラメータであり、圧縮機１１の起動時の初期値が１に設定され、変動量αが０．２に設定されている。したがって、温度補正量Ｘは変動量α（０．２）刻みで０．２〜１．０の５つの値に設定されることになる。なお、温度補正量Ｘの設定方法は、上述した数値に限定されず、初期値及び変動量αは適宜設定されるものである。言い換えれば、温度補正量Ｘが５段階で徐々に減少する場合について例示しているが２段階以上であればよく、等間隔で変動する場合について例示しているが、各段階において不等間隔で変動するものであってもよい。
【００２２】
したがって、目標吸込温度設定手段５１は、補正量設定手段５４により設定された温度補正量Ｘを用いて設定温度Ｔｉｃｍを補正して目標吸込温度Ｔｉｃｏを算出することになる。目標吸込温度設定手段５１は、冷房運転時において下記式（１）を用いて目標吸込温度Ｔｉｃｏを算出する。
【００２３】
［数１］
Ｔｉｃｏ＝Ｔｉｃｍ＋Ｘ      ・・・（１）
【００２４】
例えば、設定温度Ｔｉｃｍが２７℃である場合、圧縮機１１の起動時の目標吸込温度Ｔｉｃｏは式（１）により２８℃として算出されることになる。このように、目標吸込温度Ｔｉｃｏは、必要空調能力が設定温度Ｔｉｃｍに対応する空調能力よりも低くなるように設定される。
【００２５】
ハンチング計測手段５４ｂは、吸込温度Ｔｉｃが目標吸込温度Ｔｉｃｏを下回ったとき及び上回ったときにハンチングの回数をカウントするものである。そして、補正量演算手段５４ａは、ハンチング計測手段５４ｂにおいてハンチングの回数が設定回数になった場合、予め設定された変動量α分だけ温度補正量Ｘを小さくする。この設定回数は例えば３回に設定されており、ハンチング計測手段５４ｂにおいて計測されたハンチングの回数が３回目になったとき、補正量演算手段５４ａは温度補正量Ｘを変動量αだけ小さくする（Ｘ＝Ｘ−α）。すると、式（１）において算出される目標吸込温度Ｔｉｃｏは、設定温度Ｔｉｃｍに変動量α分だけ近づくことになる。
【００２６】
このように、吸込温度Ｔｉｃのハンチングの回数に基づいて温度補正量Ｘを小さくするか否かを判定することにより、吸込温度Ｔｉｃが目標吸込温度Ｔｉｃｏに十分に近づき吸込温度Ｔｉｃが安定な状態になった後に温度補正量Ｘに基づく目標吸込温度Ｔｉｃｏの変動が行われる。したがって、早急な目標吸込温度Ｔｉｃｏの変動による吸込温度ＴｉｃのハンチングによるサーモＯＦＦの発生を確実に抑えることができる。
【００２７】
期間計測手段５４ｃは、補正量演算手段５４ａにおいて温度補正量Ｘを変動量αだけ変動させた後からの経過時間を計測するものである。そして、補正量演算手段５４ａは、計測された経過時間が規定期間Ｐｒｅｆ以上経過したとき、温度補正量Ｘを変動量αだけ小さくするようになっている。この規定期間Ｐｒｅｆは、例えば吸込温度Ｔｉｃが設定温度Ｔｉｃｍになるまでの目標時間に基づいて設定されるものであって、上述のように５段階に温度補正量Ｘが変動し目標時間が２時間である場合、１２０分／５＝２４分が規定期間Ｐｒｅｆとして設定される。なお、規定期間Ｐｒｅｆが２４分に設定されている場合について例示しているが、これに限らず、適宜変更可能である。
【００２８】
このように、規定期間Ｐｒｅｆの経過後に温度補正量Ｘが小さくなることにより、吸込温度Ｔｉｃが設定温度Ｔｉｃｍにするのに許容される期間になるまでは、ハンチングによるサーモＯＦＦの抑制効果の高い目標吸込温度Ｔｉｃｏを用いて差温制御されることになるため、結果としてサーモＯＦＦの作動をさらに抑制して短時間で吸込温度Ｔｉｃを設定温度Ｔｉｃｍにすることができる。
【００２９】
図３は、図１の冷凍空調装置１の冷房運転時における動作例を示すフローチャートであり、図１から図３を参照して冷凍空調装置１における運転容量の制御について説明する。圧縮機起動時に、目標吸込温度設定手段５１において、設定温度Ｔｉｃｍと温度補正量Ｘの初期値とに基づいて、式（１）に従い目標吸込温度Ｔｉｃｏが設定される（ステップＳＴ１）。その後、目標冷媒温度設定手段５２において、吸込温度検知部３２により検知された吸込温度Ｔｉｃと目標吸込温度Ｔｉｃｏとの差分が演算され（ステップＳＴ２）、この差分（Ｔｉｃｏ−Ｔｉｃ）に基づいて目標冷媒温度Ｔｅｍが算出される（ステップＳＴ３）。そして、圧縮機制御手段５３において、状態検知部３１において検知された冷媒の圧力に基づいて冷媒温度（蒸発温度）Ｔｅが算出され、この冷媒温度Ｔｅと目標冷媒温度Ｔｅｍとの差分（Ｔｅｍ−Ｔｅ）が算出される（ステップＳＴ４）。そして、冷媒温度Ｔｅと目標冷媒温度Ｔｅｍの差分（Ｔｅｍ−Ｔｅ）に基づいて圧縮機１１の運転容量が制御される（ステップＳＴ５）。
【００３０】
次に、図４は、図３の目標吸込温度の設定方法の一例を示すフローチャートであり、図４を参照して温度補正量Ｘに基づく目標吸込温度Ｔｉｃｏの設定方法について説明する。まず、温度補正量Ｘが初期値（Ｘ＝１）の状態において、上述した差温制御が行われている際、ハンチング計測手段５４ｂにおいて吸込温度Ｔｉｃのハンチングの回数がカウントされ、補正量演算手段５４ａにおいてハンチングの回数が設定回数（例えば３回）になったか否かが判定される（ステップＳＴ１１〜ＳＴ１３）。具体的には、吸込温度Ｔｉｃが目標吸込温度Ｔｉｃｏよりも小さくなり（ステップＳＴ１１）、その後に吸込温度Ｔｉｃが目標吸込温度Ｔｉｃｏよりも大きくなり（ステップＳＴ１２）、さらにその後に吸込温度Ｔｉｃが目標吸込温度Ｔｉｃｏよりも小さくなった場合（ステップＳＴ１３）、ハンチング回数が設定回数を満たしたと判定される。
【００３１】
次に、ハンチング回数が設定回数を満たした後に（ステップＳＴ１３のＹＥＳ）、式（１）による目標吸込温度Ｔｉｃｏの算出（ステップＳＴ１参照）から規定期間Ｐｒｅｆ（例えば２４分）経過しているか否かが判定される（ステップＳＴ１４）。そして、目標吸込温度Ｔｉｃｏの算出から規定期間Ｐｒｅｆ経過している場合（ステップＳＴ１４のＹＥＳ）、温度補正量Ｘが変動量αだけ変動する（ステップＳＴ１５）。そして、温度補正量Ｘが０になったか否かが判定され（ステップＳＴ１６）、温度補正量Ｘが０よりも大きい場合、目標吸込温度Ｔｉｃｏが新たな温度補正量Ｘに基づいて再設定され（図３のステップＳＴ１参照）、補正後の目標吸込温度Ｔｉｃｏに基づいて差温制御が行われる（図３のステップＳＴ１〜ステップＳＴ５参照）。一方、温度補正量Ｘが０になった場合、設定温度Ｔｉｃｍ＝目標吸込温度Ｔｉｃｏになるため、温度補正量Ｘを用いた目標吸込温度Ｔｉｃｏの変動ルーチンを終了し（図４のステップ、ＳＴ１７）、設定温度Ｔｉｃｍ＝目標吸込温度Ｔｉｃｏの差温制御が行われる。
【００３２】
このように、目標吸込温度Ｔｉｃｏを設定する際に、設定温度Ｔｉｃｍに徐々に減少する温度補正量Ｘを用いることにより、設定温度Ｔｉｃｍ自体と目標吸込温度Ｔｉｃｏとを比較して差温制御する場合に比べてサーモＯＦＦすることを抑制することができる。具体的には、図５は、図１の冷凍空調装置における冷房運転時の吸込温度の推移の一例を示すグラフである。なお、図５において、横軸は時間を表しており、縦軸は温度を示している。図５において、目標吸込温度Ｔｉｃｏは、設定温度Ｔｉｃｍよりも温度補正量Ｘだけ高く設定されることになるため、冷房運転の開始により吸込温度Ｔｉｃにハンチングが発生した場合であっても、サーモＯＦＦになる作動温度Ｔｏｆｆまで低下しにくくなる。よって、圧縮機１１はサーモＯＦＦにより運転が停止されることなく運転を継続し続ける。
【００３３】
図６は従来の冷房運転時の吸込温度の推移を示すグラフである。図６において、設定温度Ｔｉｃｍが目標吸込温度Ｔｉｃｏとして設定されており、吸込温度Ｔｉｃが目標吸込温度Ｔｉｃｏになるように差温制御されている。そして、吸込温度Ｔｉｃのハンチングにより、吸込温度Ｔｉｃが設定温度Ｔｉｃｍ以下になり、さらにサーモＯＦＦの作動温度Ｔｏｆｆ以下になる場合がある。その結果、サーモＯＦＦしている最中は空気調和が行われないため、結果として空調空間が設定温度Ｔｉｃｍになるまでの時間が掛かってしまうとともに、無駄な電力を消費してしまう。一方、図６において、目標吸込温度Ｔｉｃｏが段階的に設定温度Ｔｉｃｍに近づくように設定されるため、サーモＯＦＦが作動することを低減し、短時間で空調空間を設定温度Ｔｉｃｍにすることができるとともに、省エネ化を図ることができる。
【００３４】
また、吸込温度Ｔｉｃのハンチング回数に応じて温度補正量Ｘが変動するとき、吸込温度Ｔｉｃが目標吸込温度Ｔｉｃｏに十分近づいた際に目標吸込温度Ｔｉｃｏを変動させることになるため、吸込温度Ｔｉｃのハンチングを低減し安定しながら推移させることができる。よって、確実に、短時間で空調空間を設定温度Ｔｉｃｍにすることができるとともに、省エネ化を図ることができる。さらに、前回の温度補正量Ｘの変動から規定期間Ｐｒｅｆ経過後に、次の温度補正量Ｘの変動を行うことにより、吸込温度Ｔｉｃのハンチングを低減し安定しながら推移させることができる。よって、確実に、短時間で空調空間を設定温度Ｔｉｃｍにすることができるとともに、省エネ化を図ることができる。
【００３５】
本発明の実施の形態は、上記実施の形態に限定されない。たとえば、上記実施形態において、冷房運転時における目標吸込温度Ｔｉｃｏの設定について例示しているが、暖房運転時においても同様の手法により目標吸込温度Ｔｉｃｏを設定するようにしてもよい。図７は、本発明の実施の形態に係る冷凍空調装置における暖房運転時の吸込温度の推移を示すグラフである。図７に示すように、暖房運転時であっても、温度補正量Ｘは必要空調能力が設定温度Ｔｉｃｍに対応する空調能力よりも低くなるように補正するパラメータになっている。具体的には、暖房運転時には、式（１）に代えて、目標吸込温度Ｔｉｃｏ＝設定温度Ｔｉｃｍ−温度補正量Ｘが算出されて差温制御が行われ、温度補正量Ｘが設定温度Ｔｉｃｍに徐々に近づくように変動することになる。
【００３６】
また、図４において、ハンチングの回数の判定と規定期間Ｐｒｅｆの判定との双方を行う場合について例示しているが、規定期間Ｐｒｅｆの判定を行わずにハンチングの回数の判定が行われて温度補正量Ｘが変動してもよいし、ハンチングの回数の判定を行わずに規定期間の判定が行われて温度補正量Ｘが変動してもよい。
【符号の説明】
【００３７】
１  冷凍空調装置、２  液管、３  ガス管、１０  熱源機、１１  圧縮機、１２  流路切替器、１３  熱源側熱交換器、１４  アキュムレータ、１５  室外制御装置、２０Ａ、２０Ｂ  利用側ユニット、２１  絞り装置、２２  利用側熱交換器、２５  室内制御装置、３１  状態検知部、３２  吸込温度検知部、５０  運転制御部、５１  目標吸込温度設定手段、５２  目標冷媒温度設定手段、５３  圧縮機制御手段、５４  補正量設定手段、５４ａ  補正量演算手段、５４ｂ  ハンチング計測手段、５４ｃ  期間計測手段、Ｐｒｅｆ  規定期間、Ｔｅ  冷媒温度、Ｔｅｍ  目標冷媒温度、Ｔｉｃ  吸込温度、Ｔｉｃｍ  設定温度、Ｔｉｃｏ  目標吸込温度、Ｔｏｆｆ  作動温度、Ｘ  温度補正量、α  変動量。
【図１】
2016002052.tif 000003
【図２】
2016002052.tif 000004
【図３】
2016002052.tif 000005
【図４】
2016002052.tif 000006
【図５】
2016002052.tif 000007
【図６】
2016002052.tif 000008
【図７】
2016002052.tif 000009
【手続補正書】
【提出日】平成28年9月23日(2016.9.23)
【手続補正１】
【補正対象書類名】明細書
【補正対象項目名】０００７
【補正方法】変更
【補正の内容】
【０００７】
本発明の冷凍空調装置は、圧縮機と、熱源側熱交換器と、絞り装置と、利用側熱交換器とが冷媒配管により接続された冷凍サイクルを有する冷凍空調装置であって、空調空間から利用側熱交換器へ吸い込まれる空気の温度を吸込温度として検知する吸込温度検知部と、利用側熱交換器内を流れる冷媒の状態を検知する状態検知部と、空調空間の目標温度である設定温度と、吸込温度検知部において検知された吸込温度と、状態検知部において検知された冷媒の状態とに基づいて圧縮機の動作を制御する運転制御部とを有し、運転制御部は、必要空調能力が設定温度に対応する空調能力よりも低くなるように補正する温度補正量を、予め設定された変動量ずつ小さくなるように設定する補正量設定手段と、補正量設定手段により設定された温度補正量と設定温度とから目標吸込温度を設定する目標吸込温度設定手段と、吸込温度が目標吸込温度になるように、利用側熱交換器に流れる冷媒の目標冷媒温度を設定する目標冷媒温度設定手段と、利用側熱交換器に流れる冷媒が目標冷媒温度になるように圧縮機の容量を制御する圧縮機制御手段とを有し、補正量設定手段は、吸込温度のハンチング回数が設定回数以上であるか否かを判定するハンチング計測手段と、ハンチング計測手段においてハンチングの回数が設定回数以上であると判定された場合に温度補正量を変動量分だけ小さくする補正量演算手段とを備えたものである。
【手続補正２】
【補正対象書類名】特許請求の範囲
【補正対象項目名】全文
【補正方法】変更
【補正の内容】
【特許請求の範囲】
【請求項１】
圧縮機と、熱源側熱交換器と、絞り装置と、利用側熱交換器とが冷媒配管により接続された冷凍サイクルを有する冷凍空調装置であって、
空調空間から前記利用側熱交換器へ吸い込まれる空気の温度を吸込温度として検知する吸込温度検知部と、
前記利用側熱交換器内を流れる冷媒の状態を検知する状態検知部と、
前記空調空間の目標温度である設定温度と、前記吸込温度検知部において検知された吸込温度と、前記状態検知部において検知された冷媒の状態とに基づいて前記圧縮機の動作を制御する運転制御部と
を有し、
前記運転制御部は、
必要空調能力が前記設定温度に対応する空調能力よりも低くなるように補正する温度補正量を、予め設定された変動量ずつ小さくなるように設定する補正量設定手段と、
前記補正量設定手段により設定された前記温度補正量と前記設定温度とから目標吸込温度を設定する目標吸込温度設定手段と、
前記吸込温度が前記目標吸込温度になるように、前記利用側熱交換器に流れる冷媒の目標冷媒温度を設定する目標冷媒温度設定手段と、
前記利用側熱交換器に流れる冷媒が前記目標冷媒温度になるように前記圧縮機の容量を制御する圧縮機制御手段と
を有し、
前記補正量設定手段は、
前記吸込温度のハンチング回数が設定回数以上であるか否かを判定するハンチング計測手段と、
前記ハンチング計測手段においてハンチングの回数が設定回数以上であると判定された場合に前記温度補正量を変動量分だけ小さくする補正量演算手段と
を備えた冷凍空調装置。
【請求項２】
前記ハンチング計測手段は、前記吸込温度が前記目標吸込温度よりも小さくなった回数及び大きくなった回数の合計をハンチングの回数として計測するものであり、
前記補正量演算手段は、前記ハンチング計測手段においてハンチングの回数が３回以上になったとき、前記温度補正量を変動量分だけ小さくするものである請求項１に記載の冷凍空調装置。
【請求項３】
前記補正量設定手段は、前記温度補正量を変動量分だけ変動させた後からの経過時間を計測する期間計測手段を有し、前記期間計測手段において計測された経過時間が規定期間以上経過したとき、再び前記温度補正量を変動量分だけ小さくするものである請求項１又は２に記載の冷凍空調装置。
【請求項４】
前記温度補正量は、初期値が１℃であり、変動量は、０．２℃である請求項１〜３のいずれか１項に記載の冷凍空調装置。
【請求項５】
前記補正量設定手段は、前記利用側熱交換器が蒸発器として機能する場合、前記目標吸込温度が前記設定温度よりも高くなるように前記温度補正量を設定するものである請求項１〜４のいずれか１項に記載の冷凍空調装置。
【請求項６】
前記補正量設定手段は、前記利用側熱交換器が凝縮器として機能する場合、前記目標吸込温度が前記設定温度よりも低くなるように前記温度補正量を設定するものである請求項１〜４のいずれか１項に記載の冷凍空調装置。
【国際調査報告】
2016002052.tif 000010
2016002052.tif 000011
2016002052.tif 000012
2016002052.tif 000013